(57)【要約】【課題】  非冷却状態が正常停止によるものか異常停止によるものかを区分けすることができるとともに、消費電力を少なくする。【解決手段】  商用電源と第１の電源部４との間に冷却／非冷却を切り替える操作スイッチ２が設けられ、該操作スイッチ２を投入することにより制御部３が動作して、温度センサ７により計測された庫内温度が所定の温度となるように冷却器６の冷却用電磁弁６ａが制御される。第１の商用電源検出部１１は操作スイッチ２を通った商用電源のオンオフを検出し、第２の商用電源検出部１２は操作スイッチ２の前の商用電源のオンオフを検出する。第１の電源部４は入力がオフとなってからも所定時間は電力を供給するように構成されており、第１及び第２の商用電源検出部１１，１２の検出結果から正常に運転停止されたのか否かが判定され、上位システム８に通知される。【選択図】  図１
2005345030.tif 000002
【特許請求の範囲】
【請求項１】
庫内温度を計測し冷却器を制御することで庫内温度を所定の温度に制御する冷却装置の電子機器であって、
制御部と、
前記制御部に電源を供給する電源部と、
商用電源と前記電源部との間に接続され、商用電源と前記電源部との接続を制御するスイッチと、
前記スイッチの前記電源部側に接続され、商用電源の状態を検出する第１の商用電源検出部と、
前記スイッチの前記商用電源側に接続され、商用電源の状態を検出する第２の商用電源検出部と、
上位システムに情報を通知する通信部とを備え、
前記制御部は、前記第１の商用電源検出部のみが商用電源がオフとなったことを検出したときに、当該冷却装置の正常停止を示す情報を前記通信部を介して上位システムに通知するようになされていることを特徴とする冷却装置の電子機器。
【請求項２】
前記制御部は、前記第１の商用電源検出部及び前記第２の商用電源検出部がともに商用電源がオフとなったことを検出したときに、当該冷却装置の異常停止を示す情報を前記通信部を介して上位システムに通知するようになされていることを特徴とする請求項１記載の冷却装置の電子機器。
【請求項３】
前記電源部は、商用電源がオフとなった後も前記制御部が所定時間動作することができるように、出力電圧が遅延して降下するように構成されていることを特徴とする請求項１又は２に記載の冷却装置の電子機器。
【請求項４】
常時電源を供給することができる第２の電源部と、
該第２の電源部から電源が供給される時計部を備え、
前記制御部は、当該冷却装置の異常停止を検出したときにその時刻を前記時計部から読み出して記憶し、その後、前記第１の商用電源検出部及び前記第２の商用電源検出部により商用電源がオンとなったことを検出したときに、前記異常停止を検出した時刻からの経過時間が所定時間よりも短いときは当該冷却装置の正常復帰を示す情報を前記通信部を介して上位システムに通知し、その経過時間が前記所定時間以上であるときは当該冷却装置の異常復帰を示す情報を前記通信部を介して上位システムに通知するようになされていることを特徴とする請求項２又は３に記載の冷却装置の電子機器。
【請求項５】
前記第１の商用電源検出部及び前記第２の商用電源検出部は、商用電源が半波以上欠落したことにより商用電源がオフとなったことを検出するようになされていることを特徴とする請求項１ないし４のいずれかに記載の冷却装置の電子機器。
【発明の詳細な説明】
【技術分野】
【０００１】
本発明は、低温ショーケースや冷蔵庫などの冷却装置における電子機器に関する。
【背景技術】
【０００２】
スーパーマーケットの低温ショーケースなどの冷却装置においては、温度異常などの警報機能が設けられている。
例えば、特許文献１には、非冷切換スイッチから切換信号を取り込み、非冷却制御や温度警報機能の有効／無効を制御することが記載されている。
また、特許文献２には、複数の冷却装置を集中管理するシステムにおいて、冷却装置の運転を停止したときであっても警報等の制御を継続して行うことができるショーケース等の制御装置が提案されている。
【特許文献１】特開２０００−１８８０２号公報
【特許文献２】特開平７−５５３１６号公報
【発明の開示】
【発明が解決しようとする課題】
【０００３】
上述した従来の冷却装置においては、実際に冷却していないため制御装置を作動させる必要がないにもかかわらず、制御装置に電源を供給しているため電力消費があった。
また、上位システムからみる冷却装置の通信情報が管理者の管理方法から乖離して運用上問題点が指摘されていた。例えば、冷却装置が非冷却で冷却機能を停止しているにもかかわらず制御装置が機能しているため、計測情報（温度情報等）を表示することで監視上紛らわしいという問題や無意味なデータがトレンドのデータとして格納されるという問題があった。
【０００４】
そこで本発明は、不要な消費電力を削減するとともに、運転状態を上位システムに通知することができる冷却装置の電子機器を提供することを目的としている。
【課題を解決するための手段】
【０００５】
上記目的を達成するために、本発明の冷却装置の電子機器は、庫内温度を計測し冷却器を制御することで庫内温度を所定の温度に制御する冷却装置の電子機器であって、制御部と、前記制御部に電源を供給する電源部と、商用電源と前記電源部との間に接続され、商用電源と前記電源部との接続を制御するスイッチと、前記スイッチの前記電源部側に接続され、商用電源の状態を検出する第１の商用電源検出部と、前記スイッチの前記商用電源側に接続され、商用電源の状態を検出する第２の商用電源検出部と、上位システムに情報を通知する通信部とを備え、前記制御部は、前記第１の商用電源検出部のみが商用電源がオフとなったことを検出したときに、当該冷却装置の正常停止を示す情報を前記通信部を介して上位システムに通知するようになされているものである。
また、前記制御部は、前記第１の商用電源検出部及び前記第２の商用電源検出部がともに商用電源がオフとなったことを検出したときに、当該冷却装置の異常停止を示す情報を前記通信部を介して上位システムに通知するようになされているものである。
さらに、前記電源部は、商用電源がオフとなった後も前記制御部が所定時間動作することができるように、出力電圧が遅延して降下するように構成されているものである。
さらにまた、常時電源を供給することができる第２の電源部と、該第２の電源部から電源が供給される時計部を備え、前記制御部は、当該冷却装置の異常停止を検出したときにその時刻を前記時計部から読み出して記憶し、その後、前記第１の商用電源検出部及び前記第２の商用電源検出部により商用電源がオンとなったことを検出したときに、前記異常停止を検出した時刻からの経過時間が所定時間よりも短いときは当該冷却装置の正常復帰を示す情報を前記通信部を介して上位システムに通知し、その経過時間が前記所定時間以上であるときは当該冷却装置の異常復帰を示す情報を前記通信部を介して上位システムに通知するようになされているものである。
さらにまた、前記第１の商用電源検出部及び前記第２の商用電源検出部は、商用電源が半波以上欠落したことにより商用電源がオフとなったことを検出するようになされているものである。
【発明の効果】
【０００６】
本発明の冷却装置の電子機器によれば、冷却装置の運転停止時には制御部の電源もオフすることができるため、消費電力を低減することができる。
また、上位システムにおいて、非冷却状態が正常停止によるものか停電などの異常停止によるものかを区分けすることができるため、冷却装置の異常を確実に監視することができる。
さらに、冷却装置の運転停止時に温度情報などが上位システムに通知されないため、上位システムの管理者が冷却装置の運用状態を把握しやすいという効果がある。
さらにまた、上位システムに、冷却中（温度データが送信される）、正常停止による非冷却、停電等による運転停止の各状態を示す情報が通知されるため、これらの情報が通知されないときには、機器故障による通信不能が発生したものと判断することができる。
【発明を実施するための最良の形態】
【０００７】
図１は、本発明の電子機器が用いられている冷却装置１の一実施の形態の構成を示すブロック図である。なお、冷却装置１は低温ショーケース、冷蔵庫又は冷凍庫などのいずれであってもよいが、ここでは低温ショーケースであるものとして説明する。
この図において、１は冷却装置（ショーケース）、２は該冷却装置１の電源をオン・オフし、冷却状態と非冷却状態を切り換える操作スイッチ、３は例えばマイクロコンピュータ（マイコン）により構成された制御部であり、後述の上位システム８と通信を行うための通信部３ａ及び日時を計数する時計部（リアルタイムクロックモジュール）３ｂを有するとともに、不揮発性のメモリ３ｃに接続されている。
４は前記操作スイッチ２の２次側に接続され、前記制御部３に直流の動作電圧を供給する第１の電源部（直流電源回路）、５は前記第１の電源部４の２次側に接続され、前記時計部３ｂに電源電圧を常時供給する第２の電源部（バックアップ電源）、６は冷却器、６ａは該冷却器６への冷媒の供給を制御する冷却用電磁弁、７は庫内温度を検出する温度センサ、８は複数の冷却装置１を管理する上位システムである。
【０００８】
１１は前記操作スイッチ２の２次側（第１の電源部４側）に接続され、操作スイッチ２の後段での商用電源の状態を検出する第１の商用電源検出部、１２は前記操作スイッチ２の商用電源Ａ側に接続され、商用電源の状態を直接検出する第２の商用電源検出部、１３は前記制御部３に接続され冷却装置１の状態などを表示する表示部、１４は前記制御部３に接続される操作部である。なお、この操作部１４は破線で示しているように、必要に応じて前記制御部３に接続することができるようになされている。
ここで、前記第２の電源部４は、商用電源がオフとなっても所定時間（例えば、１００ミリ秒程度）は前記制御部３が動作することができるように、大容量の平滑コンデンサを有するものとされている。すなわち、商用電源がオフとなった後、１００ミリ秒程度は制御部３のマイコンのリセット電圧以上の電圧を維持することができる時定数をもつものとされている。
また、前記時計部３ｂに電源電圧を常時供給する第２の電源部５は、例えば充電電池などでもよいが、電気２重層コンデンサを用いることもできる。
【０００９】
図２は、前記第１の商用電源検出部１１及び前記第２の商用電源検出部１２の構成について説明するための図であり、（ａ）は前記第１及び第２の商用電源検出部１１，１２の構成例を示すブロック図、（ｂ）は該商用電源検出部１１，１２からの出力を示す図である。
図２の（ａ）に示すように、第１の商用電源検出部１１及び第２の商用電源検出部１２は、それぞれ、２個のＬＥＤを逆並列に接続したＡＣ入力対応フォトカプラ１５及び１６を用いて構成されている。そして、図２の（ｂ）に示すように、前記第１の商用電検出部１１の出力及び第２の商用電源検出部１２からは、商用電源Ａが供給されているときには、該商用電源Ａを全波整流して波形整形したパルス波形、すなわち、商用電源の半波（半サイクル）ごとにそれに対応するパルスが出力される。
前記制御部３は、このような前記第１の商用電源検出部１１及び前記第２の商用電源検出部１２からのパルス波形が欠けたことを検出することにより、商用電源がオフとなったことを半サイクル時間で検出することができる。
【００１０】
このように構成された冷却装置において、前記操作スイッチ２は、ショーケース１に日配品などの物があるときにオン状態とされる。これにより、商用電源Ａに前記第１の電源部４が接続され、該第１の電源部４から制御部３に直流電源が供給され、冷却装置１の制御が行われる。すなわち、前記制御部３は、庫内温度を計測する温度センサ７の計測値と庫内温度設定値を比較し、冷却用電磁弁６ａ等の冷却制御部を制御（例えば、オン・オフ）して、庫内温度が設定値となるように制御する。また、制御部３は、前記計測した庫内温度を前記通信部３ａを介して前記上位システム８に通知する。上位システム８では、複数の冷却装置１から送られてきた運転状態情報を記憶し、警報を発したり、管理センターなどに設けられたリモートホストに通知したりする。
【００１１】
一方、未使用や陳列棚として（非冷却）のショーケース、日配品で商品売り切れのショーケース、閉店時バックヤードの冷蔵庫に移すことが必要な品物のショーケースについては、前記操作スイッチ２をオフすることによって供給する電源をカットすることで消費電力量の削減を行うことができる。
運用者（オペレータ）が前記操作スイッチ２をオフ状態とすると、前記第１の商用電源検出部１１からは前述したパルス波形が出力されなくなり、前記第２の商用電源検出部１２からはパルス波形が出力される。前記制御部３は、このように第１の商用電源検出部１１のみが商用電源オフであることを検出すると、前記操作スイッチ２が運用者によってオフ状態とされたものと判断し、正常処理によって非冷却停止状態（運転が停止され非冷却となった状態）となったことを示す情報を前記時計部３ｂから読み出したその時点の時刻情報とともに、前記メモリ３ｃに記憶する。そして、非冷却停止したことを前記通信部３ａを介して上位システム８に通知する。なお、これらの処理は、前記第１の電源部４の出力がなだらかに電圧降下して制御部３のマイコンのリセット電圧以下に低下するまでの時間に完了することができる。
そして、その後、前記第１の電源部４の出力電圧が低下し、制御部３はその動作を停止する。すなわち、操作スイッチ２をオフとして運転停止状態にあるときに、制御部３での電力消費がない。
【００１２】
また、停電等があったときには、前記第１の商用電源検出部１１と前記第２の商用電源検出部１２の両方で停電状態が検出される。前記制御部３は、前記第１の商用電源検出部１１の出力と前記第２の商用電源検出部１２の出力がともにパルス波形が出力されなくなったことを検出すると、停電したものと判断し、停電したことを示す情報を前記時計部３ｂから読み出したその時点の時刻情報とともに前記メモリ３ｃに記憶する。そして、停電したことを前記通信部３ａを介して上位システム８に通知する。なお、この処理も、前記第１の電源部４の出力がなだらかに低下し制御部３のマイコンのリセット電圧以下に低下するまでの間に完了することができる。
【００１３】
図３は、（ａ）上述した操作スイッチ２のオフ操作による非冷却停止（冷却装置の正常停止）と（ｂ）停電による非冷却停止（冷却装置の異常停止）の各場合における動作を示すタイミング図である。
図３の（ａ）に示すように、操作スイッチ２がオフされたときには第１の商用電源検出部１１からパルス波形が出力されなくなり、商用電源の半サイクルの長さである波形欠け検出時間２１以降も第１の商用電源検出部１１からパルス波形が検出されない場合には、前述のように、前記制御部３は上位システム８に非冷却通知２３を行う。なお、このタイミングは、前記第１の電源部４の出力電圧が前記制御部３のマイコンのリセット電圧より大きい電圧である期間２２以内である。
また、図３の（ｂ）に示すように、停電などにより商用電源Ａがオフとなったときは、前記第１の商用電源検出部１１と前記第２の商用電源検出部１２のいずれからもパルス波形が出力されなくなり、波形欠け検出時間２１以降もパルス波形が検出されないときは、前述のように、上位システム８に冷却装置の異常停止通知２４を行う。
【００１４】
さて、オフ状態とされていた前記操作スイッチ２がオン状態とされたとき、又は、停電から復旧して再度電源が供給されたときは、前記第１の電源部４に商用電源が供給され、前記制御部３は動作を開始する。
動作を開始すると、前記制御部３は、動作停止前に前記メモリ３ｃに記憶した情報を読み出すとともに、前記第２の電源部５によりバックアップされ作動していた時計部３ｂから時刻情報を読み出す。そして、動作停止前に前記メモリ３ｃに記憶した情報が、操作スイッチ２のオフによる正常停止であることを示す情報であるときは、操作スイッチ２がオン状態とされたことを示す情報を前記通信部３ａを介して前記上位システム８に通知するとともに、冷却器６の制御動作を行う。
一方、停電による動作停止であることを示す情報が記憶されているときには、記憶されている時刻と、前記時計部３ｂから読み出した現在時刻（電源が復旧した時刻）とを比較し、その時刻の差が所定時間以内（例えば、１時間未満）であるときには正常復帰として前記通信部３ａを介して上位システム８に通知するとともに、制御動作を行う。また、所定時間以上経過しているときは、異常復帰として上位システム８に通知するとともに、冷却装置１の表示部１３で異常復帰状態であることを警報表示する。
【００１５】
このようにして、上位システム８の管理者はローカルの運用形態を正確に把握することができる。すなわち、運用者による冷却装置１の前記操作スイッチ２による正常オフなのか、商用電源Ａによる異常オフなのか、又は、全く電源情報が通信部３ａから通知されない制御部３の故障によるものなのかを監視することができる。
【００１６】
図４は、このような冷却装置（ショーケース）１が複数使用されたシステムの構成例を示す図である。
この図に示すように、冷却装置１〜冷却装置ｎのｎ個の冷却装置１が上位システム８に接続されている。この、上位システム８は無停電電源装置（ＵＰＳ）で電源がバックアップされ、停電時もリモートホスト８Ａに各冷却装置１の状態情報を通知することができるようになされている。ローカル機器（上位システム以下の機器）は電話回線などの公衆回線などを介してリモートホスト８Ａによって管理される。
【００１７】
なお、前述のように、前記第２の電源部５は制御部３の時計部３ｂ（リアルタイムクロックモジュール）を電気二重層コンデンサなどによって電源バックアップし、商用電源Ａがオフされても時計部３ｂが作動する構成になっている。
この時計部３ｂを用いて操作スイッチ２のオフや商用電源Ａのオフの時刻や電源復旧時の時刻をメモリ３ｃ（不揮発性）に記憶することでショーケースの時間管理を行うことができる。例えば、前記時計部３ｂのスケジュールにより前記操作スイッチ２を自動的にオフする機能（切り忘れ防止など）を備えるようにしてもよい。
【００１８】
また、上記においては制御部３に時計機能を持たせていたが、上位システム８で時計機能を持ってもよい。上位システム８が時刻管理することで、前記制御部３は操作スイッチ２のオフと停電を上位システム８に通知し、電源の正常復帰と異常復帰の判断は上位システム８で行うことができ、制御部３の時計部３ｂを無くし第２の電源部５も無くすことができる。
【図面の簡単な説明】
【００１９】
【図１】本発明の冷却装置の一実施の形態の構成を示すブロック図である。
【図２】第１及び第２の商用電源検出部の一構成例を示す図である。
【図３】本発明の動作を説明するための図であり、（ａ）は正常停止時、（ｂ）は異常停止時のタイミング図である。
【図４】システム全体の構成の一例を示す図である。
【符号の説明】
【００２０】
１：冷却装置、２：操作スイッチ、３：制御部、３ａ：通信部、３ｂ：時計部、３ｃ：メモリ、４：第１の電源部、５：第２の電源部、６：冷却器、６ａ：冷却用電磁弁、７：温度センサ、８：上位システム、１１：第１の商用電源検出部、１２：第２の商用電源検出部、１３：表示部、１４：操作部
【図１】
2005345030.tif 000003
【図２】
2005345030.tif 000004
【図３】
2005345030.tif 000005
【図４】
2005345030.tif 000006